(57)【特許請求の範囲】
【請求項１】
悪臭を減少させる水性組成物であって、分子量１，０００〜２，０００，０００を有するホモポリマーポリエチレンイミンであり、前記組成物の０．０１重量％〜２重量％の悪臭結合ポリマーと、
前記組成物の総重量に対して０．００１重量％〜５重量％の量で存在する少なくとも１種の脂肪族アルデヒドを含む悪臭中和剤と、
マレイン酸であり、前記組成物の総重量に対して０．０１％〜０．５％の量で存在するジカルボン酸と、
前記組成物の９０重量％〜９９．５重量％の水性キャリアと、
前記組成物の総重量に対して０．０５重量％〜１重量％の量で存在する界面活性剤と、を含み、
前記組成物はｐＨが３〜８であり、
布地に汚れ又は染みを付けるいずれの材料も本質的に含まないと共に、アニオン性界面活性剤を含まない組成物。
【請求項２】
ｐＨが６〜８である、請求項１に記載の組成物。
【請求項３】
前記悪臭結合ポリマーが、分子量２５，０００のホモポリマーポリエチレンイミンである、請求項１または２に記載の組成物。
【請求項４】
微生物を減少させる方法であって、
ａ．請求項１の組成物を提供する工程と、
ｂ．無生物表面上又は空気中に前記組成物の有効量を散布する工程と、を含む方法。
【請求項５】
前記微生物が黒色アスペルギルスである、請求項４に記載の方法。
【発明の詳細な説明】
【技術分野】
【０００１】
本発明は、悪臭結合ポリマーと水性キャリアとを含むフレッシュニング組成物、及びその方法に関する。
【背景技術】
【０００２】
布地上及び空気中の悪臭を減少又は遮断するフレッシュニング製品は、現在入手可能であると共に、特許文献で説明されている。Ｔｈｅ  Ｐｒｏｃｔｅｒ  ＆  Ｇａｍｂｌｅ  Ｃｏｍｐａｎｙは、ＦＥＢＲＥＺＥ（登録商標）のブランド名で布地及び空気フレッシュニング製品を販売している。これらの製品は典型的には、香料、可溶化剤、シクロデキストリン、及び水性キャリアを含む。Ｓ．Ｃ．Ｊｏｈｎｓｏｎは、Ｇｌａｄｅ（登録商標）Ｆａｂｒｉｃ  ａｎｄ  Ａｉｒ  Ｏｄｏｒ  Ｅｌｉｍｉｎａｔｏｒ、及びＯｕｓｔ（登録商標）Ｓｕｒｆａｃｅ  Ｄｉｓｉｎｆｅｃｔａｎｔ  ａｎｄ  Ａｉｒ  Ｓａｎｉｔｉｚｅｒのような製品を販売している。Ｒｅｃｋｉｔｔ−Ｂｅｎｃｋｉｓｅｒは、Ｌｙｓｏｌ（登録商標）Ｄｉｓｉｎｆｅｃｔａｎｔ  Ｓｐｒａｙのような製品を販売している。
【０００３】
特定のフレッシュニング組成物は、布地上及び空気中の広範な悪臭を効果的には中和しない。更に、特定のフレッシュニング組成物、とりわけ、特定のタイプ又は量のアルデヒド及び／又は界面活性剤を含む製品は、自然光の下で布地を黄色若しくは茶色に変色させるか、及び／又は、布地が汚れの影響を受けやすくする場合がある。
【発明の概要】
【発明が解決しようとする課題】
【０００４】
微生物を原因とする悪臭を含む広範な悪臭を中和すると共に、歓楽的な効果を提供する一方で、フレッシュニング組成物が接触する場合のある布地の汚れ及び染みを回避する改良型のフレッシュニング組成物に対するニーズが依然として存在する。
【課題を解決するための手段】
【０００５】
本発明は、悪臭を減少させるフレッシュニング組成物に関する。１つの実施形態では、悪臭を減少させる本発明のフレッシュニング組成物は、有効量の悪臭結合ポリマーと、悪臭中和剤と、ジカルボン酸と、水性キャリアと、を含み、前記組成物は、布地に汚れ又は染みを付けるいずれの材料も本質的に含まない。別の実施形態では、本発明のフレッシュニング組成物は、有効量の悪臭結合ポリマーと、ｐＨを約６〜約８にする緩衝剤と、水性キャリアとを含み、前記組成物は、布地に汚れ又は染みを付けるいずれの材料も本質的に含まない。
【０００６】
本発明は、悪臭を減少させる方法、かつ微生物を減少させる方法で、有効量の悪臭結合ポリマーと、悪臭中和剤と、ジカルボン酸と、水性キャリアと、を含む、フレッシュニング組成物であって、布地に汚れ又は染みを付けるいずれの材料も本質的に含まないフレッシュニング組成物を準備する工程と、有効量の前記組成物を無生物表面上又は空気中に散布する工程と、を含む方法にも関する。
【図面の簡単な説明】
【０００７】
【図１】悪臭結合ポリマーを含まないフレッシュニング組成物と比べて、悪臭結合ポリマーを含む本発明によるフレッシュニング組成物で処理した布地から蒸発するアルデヒドの悪臭が減少することを示している棒グラフ。
【図２】悪臭結合ポリマーを含まないフレッシュニング組成物と比べて、悪臭結合ポリマーを含む本発明によるフレッシュニング組成物によって微生物が減少することを示している棒グラフ。
【発明を実施するための形態】
【０００８】
本発明のフレッシュニング組成物は、染み付いた悪臭を減少させるように設計されており、単に香料を用いて悪臭を覆い隠したり、又は遮断したりすることによって機能するものではない。本発明のフレッシュニング組成物は、空気中又は無生物表面上、例えば、食べ物及びタバコの臭いのような環境臭で汚染されたり、又は汗で濡れたりした布地上の悪臭を減少させる。本発明のフレッシュニング組成物は、無生物表面上又は空気中の微生物も減少させる場合がある。本発明のフレッシュニング組成物は、悪臭が無生物表面に付着又は浸透するのを防ぐバリアとしての機能も果たす。
【０００９】
真の悪臭の減少は、感覚及び分析（例えば、ガスクロマトグラフ）によって測定可能な悪臭の減少をもたらす。したがって、フレッシュニング組成物が本当に悪臭を減少させる場合、そのフレッシュニング組成物は、空気中及び／又は布地上の悪臭を中和することになる。「中和する」又は「中和」とは、本明細書で使用する場合、悪臭構成成分と化学反応すること（例えば、一級アミンがアルデヒドと反応してイミンを形成すること、アミンの還元的アルキル化、アミンのプロトン化及び脱プロトン化、重合、若しくは脱重合）、又は、悪臭構成成分の揮発性を抑えて、組成物の他の部分が反応できるようにすること（例えば、酸塩基中和）、又は、悪臭分子を物理的に捕捉して、その分子が空気中に再放出されないようにすること（例えば、本明細書に記載されているようなシクロデキストリン包接錯体）を意味する。
【００１０】
Ｉ．フレッシュニング組成物
悪臭を減少させる本発明のフレッシュニング組成物は、悪臭結合ポリマーと水性キャリアとを含み、前記組成物は、布に汚れ又は染みを付ける材料を本質的に含まない。本発明のフレッシュニング組成物中の界面活性剤（例えば、可溶化剤、湿潤剤）の総量は、フレッシュニング組成物の０重量％〜３重量％、すなわち３重量％以下、あるいは０重量％〜１重量％、すなわち１重量％以下、あるいは０重量％〜０．９重量％、すなわち０．９重量％以下、あるいは０重量％〜０．７、すなわち０．７重量％以下、あるいは０重量％〜０．５重量％、これらの代わりに０．５重量％以下、あるいは０重量％〜０．３重量％、すなわち０．３重量％以下である。濃度の高い組成物ほど、布地が汚れの影響を受けやすくなり得、及び／又は、フレッシュニング組成物の溶液が蒸発すると、許容不能な目に見える染みが布地上に残り得る。
【００１１】
Ａ．悪臭結合ポリマー
本発明のフレッシュニング組成物は悪臭結合ポリマーを含む。悪臭結合ポリマーは、悪臭構成成分を中和する親和性を有する利用可能な官能基（例えば、アミン）を有するポリマーである。悪臭構成成分を中和する親和性を有する利用可能な官能基を有するモノマーも考えられる。アミン系化合物の場合、アミンがアルデヒドの悪臭に対する親和性を有することになる。このアミンは、アルデヒドの悪臭と反応して、臭気性ではないアミノール、イミン、又はエナミンのような新たな化合物を形成することができる。
【００１２】
悪臭結合ポリマーとしては、モノアミン、アミノ酸、ポリエチレンイミンポリマー（ＰＥＩ）、変性ＰＥＩ、置換ＰＥＩのようなアミン系化合物、ポリアクリレートコポリマー（例えば、Ｒｏｈｍ  ＆  Ｈａａｓ製のＡｃｕｍｅｒ（商標）９０００）、ポリアクリル酸ポリマー（例えば、Ｒｏｈｍ  ＆  Ｈａａｓ製のＡｃｕｓｏｌ（商標））、変性アクリレートコポリマー（例えば、Ｒｏｈｍ  ＆  Ｈａａｓ製のＡｃｕｌｙｎ（商標））のようなアクリル酸ポリマー、及び変性メタクリレートコポリマー（例えば、Ｓａｌｖｏｎａ  Ｔｅｃｈｎｏｌｏｇｉｅｓ製のＨｙｄｒｏｓａｌ（商標））、又はこれらの混合物を挙げてもよい。
【００１３】
１．アミン系化合物
いくつかの実施形態では、悪臭結合ポリマーは、分子量が１００ダルトン超のアミン系化合物であり、そのアミン基の少なくとも１０％は一級アミンである。１つの実施形態では、アミン系化合物は、分子量が１５０ダルトン超のポリアミンであり、そのアミン基の１５％〜８０％は一級アミンである。別の実施形態では、悪臭結合ポリマーは、分子量が１０００ダルトン超のアミン系化合物であり、そのアミン基の０％〜約１０％、あるいは１０％未満が一級アミンである。
【００１４】
本発明で有用な一級アミン化合物の一般構造は下記のとおりである。
Ｂ−（ＮＨ2）n；
式中、Ｂはキャリア材料であり、ｎは少なくとも１の値の指数である。好適なＢキャリアとしては、無機及び有機双方のキャリア部分が挙げられる。「無機キャリア」とは、炭素系ではないか、又は実質的に炭素系ではない骨格鎖からなるキャリアを意味する。
【００１５】
二級アミン基を含む化合物は、−ＮＨ2基に加えて１つ以上の−ＮＨ−基を含むこと以外は、上記と同様の構造を有する。この一般型のアミン化合物は、比較的粘稠な物質であってもよい。
【００１６】
代表的なアミン系化合物は、モノアミン、アミノアリール誘導体、ポリアミン及びその誘導体、ポリアミノ酸及びそのコポリマー、グルカミン、デンドリマー、ＰＥＩ、置換アミン及びアミド・モノアミン、又はこれらの混合物から選択したものである。
【００１７】
ａ．モノアミン
本発明ではモノアミンを用いてもよい。本発明で用いるのに適したモノアミンの非限定例としては、２−ヒドロキシアミン及び／又は３−ヒドロキシアミンのようにヒドロキシ及び／又はアルコキシ官能基も含む一級アミン、特にそのモノアミンを有益剤と相互作用させたときに、その官能基のないモノアミンと比べて、そのモノアミンの析出を高める官能基も含む一級又は二級アミンが挙げられるが、これらに限定されない。本発明では、一級モノアミンを二級モノアミンと組み合わせて用いてもよい。しかし、このような組み合わせ内の全てのアミン基のうちの少なくとも１０％が一級アミン基となるように、十分なレベルの一級アミンを用いなければならない。
【００１８】
ｂ．アミノアリール誘導体
代表的なアミノアリール誘導体はアミノ−ベンゼン誘導体であり、４−アミノベンゾエート化合物のアルキルエステル、エチル−４−アミノベンゾエート、フェニルエチル−４−アミノベンゾエート、フェニル−４−アミノベンゾエート、４−アミノ−Ｎ’−（３−アミノプロピル）−ベンズアミド、又はこれらの混合物が挙げられる。
【００１９】
ｃ．ポリアミン
本発明の目的において、少なくとも１つの一級アミン基を含む好適なアミノ官能ポリマーの例は、下記のとおりである。
−分子量が３００〜２．１０Ｅ６ダルトンのポリビニルアミン（例えば、ＢＡＳＦから入手可能なＬｕｐａｍｉｎｅシリーズ１５００、４５００、５０００、９０００）
−分子量が６００ダルトン以上であり、エトキシル化度が少なくとも０．５であるアルコキシル化ポリビニルアミン
−ポリビニルアミンビニルアルコール（モル比２：１）、ポリビニルアミンビニルホルムアミド（モル比１：２）、及びポリビニルアミンビニルホルムアミド（モル比２：１）
−トリエチレンテトラミン、ジエチレントリアミン、テトラエチレンペンタミン
−ビス−アミノプロピルピペラジン
−分子量が４００〜３００，０００ダルトンの範囲のアミノ置換ポリビニルアルコール
−例えば、Ｓｉｇｍａから入手可能なポリオキシエチレンビス［アミン］
−例えば、Ｓｉｇｍａから入手可能なポリオキシエチレンビス［６−アミノヘキシル］
−直鎖又は分岐鎖Ｎ，Ｎ’−ビス−（３−アミノプロピル）−１，３−プロパンジアミン（ＴＰＴＡ）
−Ｎ，Ｎ’−ビス−（３−アミノプロピル）エチレンジアミン
−直鎖又は分岐鎖ビス（アミノアルキル）アルキルジアミン
−１，４−ビス−（３−アミノプロピル）ピペラジン（ＢＮＰＰ）
【００２０】
ｄ．ポリアミノ酸類
好適なアミン系化合物としてはポリアミノ酸が挙げられる。ポリアミノ酸は、アミノ酸又は化学修飾アミノ酸からなる。アミノ酸は、システイン、ヒスチジン、イソロイシン、チロシン、トリプトファン、ロイシン、リシン、グルタミン酸、グルタミン、グリシン、アラニン、アスパラギン酸、アルギニン、アスパラギン、フェニルアラニン、プロリン、セリン、ヒスチジン、スレオニン、メチオニン、バリン、及びこれらの混合物から選択されてもよい。アミノ酸誘導体は、チロシンエチラート、グリシンメチラート、トリプトファンエチラート、若しくはこれらの混合物、アミノ酸ホモポリマー、ヒドロキシアミン、ポリアミノ酸、又はこれらの混合物であってもよい。
【００２１】
化学修飾アミノ酸では、そのアミノ酸のアミン又は酸性官能基が化学試薬と反応している。これは、後続反応においてアミノ酸の化学的アミン及び酸性官能基を保護する目的、又は、溶解度の向上のような特別な特性をアミノ酸に付与する目的で行うことが多い。このような化学修飾体の例は、ベンジルオキシカルボニル、アミノ酪酸、ブチルエステル、及びピログルタミン酸である。アミノ酸及びアミノ酸の小断片の一般的な修飾の更なる例は、Ｂａｃｈｅｍ、１９９６、Ｐｅｐｔｉｄｅｓ  ａｎｄ  Ｂｉｏｃｈｅｍｉｃａｌｓ  Ｃａｔａｌｏｇで見ることができる。
【００２２】
１つのポリアミノ酸は、ポリリシン、あるいは、そのアミノ酸の５０％超がリシンであるポリリシン又はポリアミノ酸である。リシンの側鎖における一級アミン官能基は、全てのアミノ酸の中で最も反応性の高いアミンであるからである。１つのポリアミノ酸の分子量は、５００〜１０，０００，０００、あるいは２０００〜２５，０００である。
【００２３】
ポリアミノ酸は架橋していることができる。架橋は、例えば、リシンのようなアミノ酸の側鎖中のアミノ基を当該アミノ酸のカルボキシル官能基、又はＰＥＧ誘導体のようなタンパク質架橋剤と縮合させることによって行うことができる。この架橋ポリアミノ酸には、中和に備えて、遊離した一級及び／又は二級アミノ基がまだ残っている必要がある。架橋ポリアミノ酸の分子量は２０，０００〜１０，０００，０００、あるいは２００，０００〜２，０００，０００である。
【００２４】
ポリアミノ酸又はアミノ酸は、例えば、酸、アミド、塩化アシル、アミノカプロン酸、アジピン酸、エチルヘキサン酸、カプロラクタム、又はこれらの混合物のような他の試薬と共重合させることができる。これらのコポリマーで用いるモル比は、１：１（試薬／アミノ酸（リシン））〜１：２０、あるいは１：１〜１：１０の範囲である。ポリリシンのようなポリアミノ酸は、必要な量の一級アミンがポリマー中に残っていれば、エトキシル化しないことも、部分的にエトキシル化することもできる。
【００２５】
ｅ．デンドリマー
更なる有用なアミン系化合物は、ポリプロピレンイミンデントリマー、市販されているＤｅｎｄｒｉｔｅｃｈ製のＳｔａｒｂｕｒｓｔ（登録商標）というポリアミドアミン（ＰＡＭＡＭ）デンドリマー（生成Ｇ０〜Ｇ１０）、ジアミノブタンポリアミンＤＡＢ（ＰＡ）ｘデンドリマー（ｘ＝２n×４であり、ｎは一般に０〜４である）であるＤＳＭ製のＡｓｔｒｏｍｏｌｓ（登録商標）というデンドリマー（生成１〜５）である。
【００２６】
ｆ．ＰＥＩ
１つの実施形態では、悪臭結合ポリマーはＰＥＩである。ｐＨが約４〜約８、あるいは５超〜約８、あるいは７のアミン系ポリマーがアミン系の臭いを中和できることが驚くべきことに発見された。ＰＥＩは下記の一般式を有する。
−（ＣＨ２−ＣＨ２−ＮＨ）ｎ−（ｎ＝１０〜１０5）
ホモポリマーＰＥＩは、特定の割合の一級、二級、及び三級アミン官能基を有する分岐球状ポリアミンである。ホモポリマーＰＥＩは、下記の部分的構造式で最も分かりやすく説明される。
【００２７】
【化１】
0005592491.tif 000002
【００２８】
ホモポリマーＰＥＩの化学構造は、１つのアミン官能基−２つの炭素という簡潔な原則に従っている。
【００２９】
本発明のフレッシュニング組成物は、分子量が約８００〜約２，０００，０００、あるいは約１，０００〜約２，０００，０００、あるいは約１，２００〜約２５，０００、あるいは約１，３００〜約２５，０００、あるいは約２，０００〜約２５，０００、あるいは約１０，０００〜約２，０００，０００、あるいは約２５，０００〜約２，０００，０００、あるいは約２５，０００のホモポリマーポリエチレンイミンを含んでもよい。代表的なホモポリマーＰＥＩとしては、ＢＡＳＦからＬｕｐａｓｏｌ（登録商標）という商品名で市販されているものが挙げられる。Ｌｕｐａｓｏｌの製品は一般に、エチレンイミンモノマーを重合することによって得られる。このエチレンイミンモノマーは、ポリマーマトリックスで全て反応している。好適なＬｕｐａｓｏｌ製品としては、Ｌｕｐａｓｏｌ  ＦＧ（ＭＷ  ８００）、Ｇ２０ｗｆｖ（ＭＷ  １３００）、ＰＲ８５１５（ＭＷ  ２０００）、ＷＦ（ＭＷ  ２５，０００）、ＦＣ（ＭＷ  ８００）、Ｇ２０（ＭＷ  １３００）、Ｇ３５（ＭＷ  １２００）、Ｇ１００（ＭＷ  ２０００）、ＨＦ（ＭＷ  ２５，０００）、Ｐ（ＭＷ  ７５０，０００）、ＰＳ（ＭＷ  ７５０，０００）、ＳＫ（ＭＷ  ２，０００，０００）、ＳＮＡ（ＭＷ  １，０００，０００）が挙げられる。
【００３０】
いくつかの実施形態では、本発明のフレッシュニング組成物は、Ｌｕｐａｓｏｌ  ＨＦ若しくはＷＦ（ＭＷ  ２５，０００）、Ｐ（ＭＷ  ７５０，０００）、ＰＳ（ＭＷ  ７５０，０００）、ＳＫ（ＭＷ  ２，０００，０００）、６２０ｗｆｖ（ＭＷ  １３００）、又はＰＲ  １８１５（ＭＷ  ２０００）、あるいはＥｐｏｍｉｎ  ＳＰ−１０３、Ｅｐｏｍｉｎ  ＳＰ−１１０、Ｅｐｏｍｉｎ  ＳＰ−００３、Ｅｐｏｍｉｎ  ＳＰ−００６、Ｅｐｏｍｉｎ  ＳＰ−０１２、Ｅｐｏｍｉｎ  ＳＰ−０１８、Ｅｐｏｍｉｎ  ＳＰ−２００、あるいは、Ａｌｄｒｉｃｈ製の８０％エトキシル化されたポリエチレンイミンのように、部分的にアルコキシル化されたポリエチレンイミンを含む。１つの実施形態では、本発明のフレッシュニング組成物はＬｕｐａｓｏｌ  ＷＦ（ＭＷ  ２５，０００）を含む。
【００３１】
本発明のフレッシュニング組成物で用いるのに適した更なるアミン系化合物は、変性ＰＥＩ、部分的にアルキル化されたポリエチレンポリマー、ヒドロキシル基を有するＰＥＩ、１，５−ペンタンジアミン、１，６−ヘキサンジアミン、１，３ペンタンジアミン、３−ジメチルプロパンジアミン、１，２−シクロヘキサンジアミン、１，３−ビス（アミノメチル）シクロヘキサン、トリプロピレンテトラアミン、ビス（３−アミノプロピル）ピペラジン、ジプロピレントリアミン、トリス（２−アミノエチルアミン）、テトラエチレンペンタミン、ビスヘキサメチレントリアミン、ビス（３−アミノプロピル）１，６−ヘキサメチレンジアミン、３，３’−ジアミノ−Ｎ−メチルジプロピルアミン、２−メチル−１，５−ペンタンジアミン、Ｎ，Ｎ，Ｎ’，Ｎ’−テトラ（２−アミノエチル）エチレンジアミン、Ｎ，Ｎ，Ｎ’，Ｎ’−テトラ（３−アミノプロピル）−１，４−ブタンジアミン、ペンタエチルヘキサミン、１，３−ジアミノ−２−プロピル−ｔｅｒｔ−ブチルエーテル、イソホロンジアミン、４，４’，−ジアミノジシクロヒルメタン、Ｎ−メチル−Ｎ−（３−アミノプロピル）エタノールアミン、スペルミン、スペルミジン、１−ピペラジンエタンアミン、２−（ビス（２−アミノエチル）アミノ）エタノール、エトキシル化Ｎ−（タローアルキル）トリメチレンジアミン、ポリ［オキシ（メチル−１，２−エタンジイル）］、α−（２−アミノメチル−エトキシ）−（＝Ｃ．Ａ．Ｓ．番号９０４６−１０−０）、ポリ［オキシ（メチル−１，２−エタンジイル）］、α−ヒドロ−）−ω−（２−アミノメチルエトキシ）−、２−エチル−２−（ヒドロキシメチル）−１，３−プロパンジオールを有するエーテル（＝Ｃ．Ａ．Ｓ．番号３９４２３−５１−３）、Ｊｅｆｆａｍｉｎｅ  Ｔ−４０３、Ｄ−２３０、Ｄ−４００、Ｄ−２０００という商品名で市販されているもの、２，２’，２”−トリアミノトリエチルアミン、２，２’−ジアミノ−ジエチルアミン、３，３’−ジアミノ−ジプロピルアミン、Ｍｉｔｓｕｂｕｓｈｉから市販されている１，３ビスアミノエチル−シクロヘキサン、及び、Ｃ１２ステルナミン（プロピレンアミン）n（ｎ＝３／４）のように、Ｃｌａｒｉａｎｔから市販されているＣ１２ステルナミンである。
【００３２】
１つの実施形態では、悪臭結合ポリマーは、布地上及び／又は空気中の微生物を減少させるのに有効な量で用いてもよい。悪臭結合ポリマーを用いるとき、有効量は、悪臭結合ポリマーを含まない組成物よりも、微生物を対数差少なくとも１だけ減少させる。この差が悪臭結合ポリマーを使用する根拠であり、微生物種の固有の変動性ではない。
【００３３】
悪臭結合ポリマーの好適なレベルは、フレッシュニング組成物の約０．０１重量％〜約２重量％、あるいは約０．０１重量％〜約１重量％、あるいは約０．０１重量％〜約０．８重量％、あるいは約０．０１重量％〜約０．６重量％、あるいは約０．０１重量％〜約０．１重量％、あるいは約０．０１重量％〜約０．０７重量％、あるいは約０．０７重量％である。悪臭結合ポリマーの量が多い組成物ほど、布地が汚れの影響を受けやすくなる場合があり、及び／又は、フレッシュニング組成物の溶液が布地から蒸発すると、許容不能な目に見える染みが布地上に残る場合がある。
【００３４】
Ｂ．悪臭中和剤
本発明のフレッシュニング組成物では、１種以上の悪臭中和剤を用いてもよい。悪臭中和剤としては、臭気化合物の蒸気圧を下げるか、悪臭化合物を可溶化するか、臭いを物理的に捕捉する（例えば、凝集又は封入する）か、臭いを物理的に結合するか、又は臭いを物理的にはじいて、無生物表面に結合させないようにする構成成分を挙げてもよい。例えば、脂肪族アルデヒドは、魚及びタバコの臭いのようなアミン臭と反応する。悪臭結合ポリマーと組み合わせて用いると、フレッシュニング組成物は、より広範な悪臭を中和でき、ひいては、空気中又は無生物表面上の悪臭を更に減少させる物質を発生させる。
【００３５】
１．脂肪族アルデヒド
１つの実施形態では、本発明のフレッシュニング組成物は、布地に優しく、黄ばむことのない脂肪族アルデヒドを１種以上有する香料混合物を含む。複数の二重結合及びベンゼン環を含むタイプのアルデヒドを用いる製品とは異なり、直鎖の脂肪族骨格鎖を主に含む特定のタイプのアルデヒドは、布地を変色させない。下記の表には、布地の黄ばみを回避するアルデヒドの選択肢が示されている。
【００３６】
【表１】
0005592491.tif 000003
【００３７】
好適な脂肪族アルデヒドの例は、Ｒ−ＣＯＨ（式中、Ｒは、２つ以下の二重結合を有する飽和したＣ7〜Ｃ22の直鎖及び／又は分岐鎖である）である。好適な脂肪族アルデヒドの例は、ブルゲオナール、シトラール、シトロネリルオキシアセトアルデヒド、サイマール、デシルアルデヒド、ヘリオナール、ヘキシルシンナミックアルデヒド、ラウリンアルデヒド、リグストラール、リラール、メロナール、メチルジヒドロジャスモネート、メチルノニルアセトアルデヒド、メチルフェニルカルビニルアセテート、ノニルアルデヒド、オクチルアルデヒド、オキサン、Ｐ．Ｔ．ブシナール、ポリサントール、ルバフラン、トリパル、又はこれらの混合物である。
【００３８】
１つの実施形態では、本発明のフレッシュニング組成物は、ブルゲオナール、シトラール、シトロネリルオキシアセトアルデヒド、サイマール、デシルアルデヒド、ヘリオナール、ヘキシルシンナミックアルデヒド、ラウリンアルデヒド、リグストラール、リラール、メロナール、メチルジヒドロジャスモネート、メチルノニルアセトアルデヒド、メチルフェニルカルビニルアセテート、ノニルアルデヒド、２，６−ノナジエン−１−アル、オクチルアルデヒド、オキサン、Ｐ．Ｔ．ブシナール、ポリサントール、ルバフラン、トリパル、及びこれらの混合物からなる群から選択された少なくとも１種の脂肪族アルデヒドを含む。
【００３９】
別の実施形態では、本発明のフレッシュニング組成物は、ブルゲオナール、サイマール、ヘキシルシンナミックアルデヒド、メチルジヒドロジャスモネート、メチルノニルアセトアルデヒド、Ｐ．Ｔ．ブシナール、及びこれらの混合物からなる群から選択された少なくとも１種の脂肪族アルデヒドを含む。
【００４０】
脂肪族アルデヒドは、フレッシュニング組成物の約０．００１重量％〜約１０重量％、あるいは約０．００１重量％〜約５重量％、あるいは約０．０１重量％〜約１重量％、あるいは約０．０２重量％〜約１重量％、あるいは約０．０２重量％〜約０．５重量％、あるいは約０．０２重量％〜約０．０６重量％、あるいは約０．０６重量％の量で存在してもよい。
【００４１】
本発明のフレッシュニング組成物は、脂肪族アルデヒドに加えて、香りを味わえるように、エノン、ケトン、イオノン（α−イオノン、β−イオノン、γ−メチルイオノンを含む）、又はこれらの混合物を含む香料物質も含んでもよい。好適な香料物質は米国特許第５，７１４，１３７号で論じられている。本発明のフレッシュニング組成物は、初めてスプレーしたときに清新な香りをもたらし、香りを多少残存させ、布地が再び濡れた際に多少追加の香りを放出させるのに有効な量の香料を含んでもよい。脂肪族アルデヒドが実質的に、所望の香料特性に悪影響を及ぼさないことが望ましい場合がある。
【００４２】
特定の悪臭中和剤は発香性で、香りの全体的特性に悪影響を及ぼす場合がある。この場合には、悪臭中和剤のいずれの臭いも中和されるように、用いる香料の原材料を選択するように、香料／悪臭中和剤プレミックスを形成させる。続いて、臭いを中和するこのプレミックスは、親芳香剤の特性に影響を及ぼすことなく、親香料混合物に加えることができる。これによって、悪臭中和剤を多種多様なタイプの芳香剤と共に広く用いることができるようになる。
【００４３】
以下は、布地に優しい悪臭中和剤を含む香料調合物の非限定例である。
【００４４】
【表２】
0005592491.tif 000004
【００４５】
【表３】
0005592491.tif 000005
【００４６】
【表４】
0005592491.tif 000006
【００４７】
【表５】
0005592491.tif 000007
【００４８】
【表６】
0005592491.tif 000008
【００４９】
特定のケースでは、洗濯した布地は、布地を洗う洗剤から付着した光沢剤残留物を有することになる。したがって、フレッシュニング組成物と接触することになるいずれの布地も、フレッシュニング組成物によって変色しないように、上記の脂肪族アルデヒドは光沢剤との親和性を有しているのが望ましい場合がある。上記の多くの例は、光沢剤との親和性を有している。
【００５０】
２．低分子量ポリオール
本発明のフレッシュニング組成物の臭気中和性を向上させる悪臭中和剤として、エチレングリコール、ジエチレングリコール、トリエチレングリコール、プロピレングリコール、ジプロピレングリコール、及び／又はグリセリンなど、水と比べて沸点が比較的高い低分子量ポリオールを用いてもよい。このようなポリオール、例えば、ジプロピレングリコールはまた、本発明の組成物中の一部の香料成分の可溶化を促進するのにも有用である。
【００５１】
本発明のフレッシュニング組成物で用いるグリコールは、グリセリン、エチレングリコール、プロピレングリコール、ジプロピレングリコール、ポリエチレングリコール、プロピレングリコールメチルエーテル、プロピレングリコールフェニルエーテル、プロピレングリコールメチルエーテルアセテート、プロピレングリコールｎ−ブチルエーテル、ジプロピレングリコールｎ−ブチルエーテル、ジプロピレングリコールｎ−プロピルエーテル、エチレングリコールフェニルエーテル、ジエチレングリコールｎ−ブチルエーテル、ジプロピレングリコールｎ−ブチルエーテル、ジエチレングリコールモノブチルエーテル、ジプロピレングリコールメチルエーテル、トリプロピレングリコールメチルエーテル、トリプロピレングリコールｎ−ブチルエーテル、その他のグリコールエーテル、又はこれらの混合物であってもよい。１つの実施形態では、用いるグリコールは、エチレングリコール、プロピレングリコール、又はこれらの混合物である。別の実施形態では、用いるグリコールはジエチレングリコールである。
【００５２】
典型的には、低分子量ポリオールは、本発明の組成物の約０．０１重量％〜約５重量％、あるいは約０．０５重量％〜約１重量％、あるいは本発明の組成物の約０．１重量％〜約０．５重量％のレベルで、本発明の組成物に添加する。濃度の高い組成物ほど、布地が汚れの影響を受けやすくなる場合があり、及び／又は、フレッシュニング組成物の溶液が布地から蒸発すると、許容不能な目に見える染みが布地上に残る場合がある。低分子量ポリオールの悪臭結合ポリマーに対する重量比は約５００：１〜約４：１、あるいは約１：１００〜約２５：１、あるいは約１：５０〜約４：１、あるいは約４：１である。
【００５３】
３．シクロデキストリン
いくつかの実施形態では、本発明のフレッシュニング組成物は、可溶化された水溶性の非錯化シクロデキストリンを含んでもよい。本明細書で使用される用語「シクロデキストリン」は、６〜１２個のグルコース単位を含有する非置換型シクロデキストリン、特に、α−シクロデキストリン、β−シクロデキストリン、γ−シクロデキストリン、及び／又はこれらの誘導体及び／又はこれらの混合物のような既知のシクロデキストリンのいずれかを含む。α−シクロデキストリンは６個のグルコース単位からなり、β−シクロデキストリンは７個のグルコース単位からなり、γ−シクロデキストリンは、ドーナツ状の環に配置された８個のグルコース単位からなる。これらのグルコース単位の特異結合及びコンホメーションによって、特定の体積の中空の内側を有する剛性の円錐形分子構造をシクロデキストリンにもたらす。内部空洞の「内張り」は、水素原子とグリコシド結合の酸素原子によって形成されているので、この表面はかなりの疎水性を有する。この空洞の独自の形と物理的・化学的特性によって、シクロデキストリン分子は、その空洞に収まることのできる有機分子又は有機分子の一部を吸収する（その空洞に収まることのできる有機分子又は有機分子の一部と包接錯体を形成する）ことができるようになる。多くの香料分子は、上記の空洞に収まることができる。
【００５４】
シクロデキストリン分子については、米国特許第５，７１４，１３７号、及び同第５，９４２，２１７号に説明されている。シクロデキストリンの好適なレベルは、フレッシュニング組成物の約０．１重量％〜約５重量％、あるいは約０．２重量％〜約４重量％、あるいは約０．３重量％〜約３重量％、あるいは約０．４重量％〜約２重量％である。濃度の高いフレッシュニング組成物ほど、布地が汚れの影響を受けやすくなり得、及び／又は、フレッシュニング組成物の溶液が布地から蒸発すると、許容不能な目に見える染みが布地上に残り得る。後者は、薄い着色合成布地上で特に問題となる。布地の染みの発生を回避又は最小化するために、布地１ｍｇ当たり約５ｍｇ未満のレベルのシクロデキストリン、あるいは布地１ｍｇ当たり約２ｍｇ未満のレベルのシクロデキストリンで布地を処理してもよい。
【００５５】
Ｃ．緩衝剤
本発明のフレッシュニング組成物は、二塩基酸、カルボン酸、又はマレイン酸のようなジカルボン酸であってもよい緩衝剤を含む。この酸は立体的に安定していてもよく、所望のｐＨを保つ目的のみで、本発明の組成物で用いてもよい。本発明のフレッシュニング組成物のｐＨは約３〜約８、あるいは約４〜約７、あるいは約５〜約８、あるいは約６〜約８、あるいは約６〜約７、あるいは約７、あるいは約６．５であってもよい。
【００５６】
クエン酸のようなカルボン酸は、金属イオンキレートとして機能する場合があり、水溶性の低い金属塩を形成することができる。したがって、いくつかの実施形態では、本発明のフレッシュニング組成物はクエン酸を本質的に含まない。緩衝剤は、アルカリ性、酸性、又は中性であることができる。
【００５７】
本発明のフレッシュニング組成物用のその他の好適な緩衝剤としては、生物学的緩衝剤が挙げられる。いくつかの例は、含窒素物質、３−（Ｎ−モルホリノ）プロパンスルホン酸（ＭＯＰＳ）又はＮ−（２−アセトアミド）−２−アミノエタンスルホン酸（ＡＣＥＳ）のようなスルホン酸緩衝剤であり、これらのｐＫａは中性付近の６．２〜７．５であり、中性のｐＨにおいて十分な緩衝力を発揮する。他の例は、リシンのようなアミノ酸、又は、モノエタノールアミン、ジエタノールアミン、及びトリエタノールアミンのような低級アルコールアミンである。他の含窒素緩衝剤は、トリ（ヒドロキシメチル）アミノメタン（ＨＯＣＨ２）３ＣＮＨ３（トリス）、２−アミノ−２−エチル−１，３−プロパンジオール、２−アミノ−２−メチル−プロパノール、２−アミノ−２−メチル−１，３−プロパノール、グルタミン酸二ナトリウム、Ｎ−メチルジエタノールアミド、２−ジメチルアミノ−２−メチルプロパノール（ＤＭＡＭＰ）、１，３−ビス（メチルアミン）−シクロヘキサン、１，３−ジアミノ−プロパノールＮ，Ｎ’−テトラ−メチル−１，３−ジアミノ−２−プロパノール、Ｎ，Ｎ−ビス（２−ヒドロキシエチル）グリシン（ビシン）、及びＮ−トリス（ヒドロキシメチル）メチルグリシン（トリシン）である。上記のいずれかの混合物も許容可能である。
【００５８】
本発明のフレッシュニング組成物は、緩衝剤をその組成物の少なくとも約０重量％、あるいは少なくとも約０．００１重量％、あるいは少なくとも約０．０１重量％含んでもよい。また、本発明の組成物は、緩衝剤をその組成物の約１％以下、あるいは約０．７５重量％以下、あるいは約０．５重量％以下含んでもよい。
【００５９】
Ｄ．可溶化剤
透明な溶液が形成されるように、本発明のフレッシュニング組成物は、本組成物に加えることができるが、本組成物に容易には溶解できないいずれかの過剰な疎水性有機物質、詳細にはいずれかの香料物質、及び任意成分（例えば、害虫忌避剤、酸化防止剤等）を可溶化する可溶化補助剤を含んでもよい。好適な可溶化補助剤は、非起泡性又は低起泡性界面活性剤のような界面活性剤である。好適な界面活性剤は、非イオン性界面活性剤、カチオン性界面活性剤、両性界面活性剤、双極性界面活性剤、及びこれらの混合物である。
【００６０】
いくつかの実施形態では、本発明のフレッシュニング組成物は、非イオン性界面活性剤、カチオン性界面活性剤、及びこれらの混合物を含む。１つの実施形態では、本発明のフレッシュニング組成物は硬化ヒマシ油を含む。本発明の組成物で用いてもよい１つの好適な硬化ヒマシ油は、ＢＡＳＦから入手可能なＢａｓｏｐｈｏｒ（商標）である。
【００６１】
アニオン性界面活性剤及び／又は洗剤用界面活性剤を含む組成物では、布地が汚れの影響を受けやすくなる場合があり、及び／又は、フレッシュニング組成物の溶液が布地から蒸発すると、許容不能な目に見える染みが布地上に残る場合がある。いくつかの実施形態では、本発明のフレッシュニング組成物は、アニオン性界面活性剤及び／又は洗剤用界面活性剤を含まない。
【００６２】
可溶化剤が存在するとき、可溶化剤は典型的には、フレッシュニング組成物の約０．０１重量％〜約３重量％、あるいは約０．０５重量％〜約１重量％、あるいは約０．０１重量％〜約０．０５重量％のレベルで存在する。濃度の高いフレッシュニング組成物ほど、布地が汚れの影響を受けやすくなる場合があり、及び／又は、フレッシュニング組成物の溶液が布地から蒸発すると、許容不能な目に見える染みが布地上に残る場合がある。
【００６３】
Ｅ．抗菌性化合物
本発明のフレッシュニング組成物は、空気中又は無生物表面上の微生物を減少させる化合物を有効量含んでもよい。抗菌性化合物は、ヒトの皮膚又はペットと接触した室内表面（カウチ、枕、ペットの寝具、及びカーペット等）の上に典型的に存在するグラム陰性及びグラム陽性バクテリア及び菌類に有効である。このような微生物種としては、肺炎杆菌、黄色ブドウ球菌、黒色アスペルギルス、肺炎杆菌、化膿レンサ球菌、豚コレラ菌、大腸菌、毛瘡白癬菌、及び緑膿菌が挙げられる。いくつかの実施形態では、抗菌性化合物は、Ｈ１−Ｎ１、ライノウイルス、ＲＳウイルス、１型ポリオウイルス、ロタウイルス、Ａ型インフルエンザ、１型及び２型単純ヘルペス、Ａ型肝炎、及びヒトコロナウイルスのようなウイルスにも有効である。
【００６４】
本発明のフレッシュニング組成物に適した抗菌性化合物は、布地の外観を損傷（例えば、変色、着色（黄変など）、脱色）させないいずれの有機物質でもあることができる。水溶性抗菌性化合物としては、有機硫黄化合物、ハロゲン化化合物、環状有機窒素化合物、低分子量アルデヒド、四級化合物、デヒドロ酢酸、フェニル及びフェノキシ化合物、又はこれらの混合物が挙げられる。
【００６５】
１つの実施形態では、四級化合物を用いる。本発明のフレッシュニング組成物で用いるのに適した市販の四級化合物の例は、Ｌｏｎｚａ  Ｃｏｒｐｏｒａｔｉｏｎから入手可能なＢａｒｑｕａｔ、Ｌｏｎｚａ  ＣｏｒｐｏｒａｔｉｏｎからＢａｒｄａｃ（登録商標）２２５０という商品名で販売されている四級アンモニウム化合物のジデシルジメチルアンモニウムクロリドである。
【００６６】
抗菌性化合物は、フレッシュニング組成物の約５００重量ｐｐｍ〜約７０００重量ｐｐｍ、あるいは約１０００重量ｐｐｍ〜約５０００重量ｐｐｍ、あるいは約１０００重量ｐｐｍ〜約３０００重量ｐｐｍ、あるいは約１４００重量ｐｐｍ〜約２５００重量ｐｐｍの量で存在してもよい。
【００６７】
Ｆ．防腐剤
本発明のフレッシュニング組成物は防腐剤を含んでもよい。防腐剤は本発明中に、特定の期間にわたり腐敗を防ぐか、又は、不注意にも加わってしまった微生物の増殖を防ぐのに十分であるが、フレッシュニング組成物の臭気中和性能に寄与するのに十分ではない量で含まれる。換言すれば、防腐剤は、微生物によって生じる臭いを消す目的でフレッシュニング組成物を堆積させる表面上の微生物を殺す抗菌性化合物として用いられているのではない。むしろ、フレッシュニング組成物の貯蔵寿命を長くする目的で、防腐剤を用いて、フレッシュニング組成物の腐敗を防ぐ。
【００６８】
防腐剤は、布地の外観を損傷（例えば、変色、着色、脱色）させない任意の有機防腐剤の物質であってもよい。好適な水溶性防腐剤としては、有機硫黄化合物、ハロゲン化化合物、環状有機窒素化合物、低分子量アルデヒド、パラベン、プロパンジオール物質、イソチアゾリノン、四級化合物、ベンゾエート、低分子量アルコール、デヒドロ酢酸、フェニル及びフェノキシ化合物、又はこれらの混合物が挙げられる。
【００６９】
本発明で用いられる市販の水溶性防腐剤の非限定例としては、５−クロロ−２−メチル−４−イソチアゾリン−３−オン約７７％と２−メチル−４−イソチアゾリン−３−オン約２３％との混合物、Ｋａｔｈｏｎ（登録商標）ＣＧという商品名でＲｏｈｍ  ａｎｄ  Ｈａａｓ  Ｃｏ．から１．５％の水溶液として入手可能な広域スペクトル防腐剤、Ｂｒｏｎｉｄｏｘ  Ｌ（登録商標）という商品名でＨｅｎｋｅｌから入手可能な５−ブロモ−５−ニトロ−１，３−ジオキサン、Ｂｒｏｎｏｐｏｌ（登録商標）という商品名でＩｎｏｌｅｘから入手可能な２−ブロモ−２−ニトロプロパン−１，３−ジオール、一般にはクロルヘキシジンとして知られる１，１’−ヘキサメチレンビス（５−（ｐ−クロロフェニル）ビグアニド）及びその塩、例えば、酢酸及びジグルコン酸との塩、Ｇｌｙｄａｎｔ  Ｐｌｕｓ（登録商標）という商品名でＬｏｎｚａから入手可能な１，３−ビス（ヒドロキシメチル）−５，５−ジメチル−２，４−イミダゾリジンジオンと３−ブチル−２−ヨードプロピニルカルバメートとの９５：５混合物、一般にはジアゾリジニル尿素として知られ、Ｇｅｒｍａｌｌ（登録商標）ＩＩという商品名でＳｕｔｔｏｎ  Ｌａｂｏｒａｔｏｒｉｅｓ  Ｉｎｃ．から入手可能なＮ−［１，３−ビス（ヒドロキシメチル）２，５−ジオキソ−４−イミダゾリジニル］−Ｎ，Ｎ’−ビス（ヒドロキシ−メチル）尿素、一般にはイミダゾリジニル尿素として知られ、例えば、３Ｖ−ＳｉｇｍａからはＡｂｉｏｌ（登録商標）という商品名で、ＩｎｄｕｃｈｅｍからはＵｎｉｃｉｄｅ  Ｕ−１３（登録商標）という商品名で、Ｓｕｔｔｏｎ  Ｌａｂｏｒａｔｏｒｉｅｓ，Ｉｎｃ．からはＧｅｒｍａｌｌ  １１５（登録商標）という商品名で入手可能なＮ，Ｎ”−メチレンビス｛Ｎ’−［１−（ヒドロキシメチル）−２，５−ジオキソ−４−イミダゾリジニル］尿素｝、Ｎｕｏｓｅｐｔ（登録商標）という商品名でＨｕｌｓ  Ａｍｅｒｉｃａから入手可能なポリメトキシ二環式オキサゾリジン、ホルムアルデヒド、グルタルアルデヒド、ＩＣＩ  Ａｍｅｒｉｃａｓ，Ｉｎｃ．からＣｏｓｍｏｃｉｌ  ＣＱ（登録商標）という商品名で、又は、Ｂｒｏｏｋｓ，Ｉｎｃ．からＭｉｋｒｏｋｉｌｌ（登録商標）という商品名で入手可能なポリアミノプロピルビグアニド、デヒドロ酢酸、及びＫｏｒａｌｏｎｅ（商標）Ｂ−１１９という商品名でＲｏｈｍ  ａｎｄ  Ｈａａｓ  Ｃｏｒｐｏｒａｔｉｏｎから入手可能なベンゾイソチアゾリノンが挙げられる。
【００７０】
防腐剤の好適なレベルは、フレッシュニング組成物の約０．０００１重量％〜約０．５重量％、あるいは約０．０００２重量％〜約０．２重量％、あるいは約０．０００３重量％〜約０．１重量％である。
【００７１】
Ｇ．湿潤剤
ポリエステル及びナイロンのような疎水性表面上に、フレッシュニング組成物が容易かつより均一に展着できるようにする低い表面張力をもたらす湿潤剤を、本発明のフレッシュニング組成物は含んでもよい。本発明の水溶液は、このような湿潤剤がないと、十分には展着しないことが分かっている。本組成物によって処理した物質をユーザーがすぐに使える状態にできるように、組成物を展着させることによって、組成物がより早く乾くようにする。更に、湿潤剤を含む組成物は、疎水性の油汚れに、より浸透して、悪臭中和性を向上させることができる。湿潤剤を含む組成物は、「衣服着用中」の静電気制御性を向上させることもできる。濃縮組成物では、湿潤剤は、濃縮水性組成物中の抗菌性活性物質及び香料のような多くの活性物質の分散を促す。
【００７２】
湿潤剤の非限定例としては、エチレンオキシドとプロピレンオキシドとのブロックコポリマーが挙げられる。好適なブロックポリオキシエチレン−ポリオキシプロピレンポリマー界面活性剤としては、初期の反応性水素化合物としてエチレングリコール、プロピレングリコール、グリセロール、トリメチロールプロパン、及びエチレンジアミンベースとするものが挙げられる。例えば、Ｃ12〜18脂肪族アルコールのような、単一の反応性水素原子を有する初期化合物を逐次的なエトキシル化及びプロポキシル化によって作製した高分子化合物は、一般に、シクロデキストリンと親和性を示さない。ＢＡＳＦ−Ｗｙａｎｄｏｔｔｅ  Ｃｏｒｐ．（Ｗｙａｎｄｏｔｔｅ、Ｍｉｃｈｉｇａｎ）によってＰｌｕｒｏｎｉｃ（登録商標）及びＴｅｔｒｏｎｉｃ（登録商標）と命名された特定のブロックポリマー界面活性剤化合物は、容易に入手可能である。
【００７３】
このタイプのシクロデキストリン親和性湿潤剤の非限定例は米国特許第５，７１４，１３７号に記載されており、Ｍｏｍｅｎｔｉｖｅ  Ｐｅｒｆｏｒｍａｎｃｅ  Ｃｈｅｍｉｃａｌ（Ａｌｂａｎｙ、Ｎｅｗ  Ｙｏｒｋ）から入手可能なＳｉｌｗｅｔ（登録商標）という界面活性剤が挙げられる。代表的なＳｉｌｗｅｔ界面活性剤は下記のとおりである。
【００７４】
【表７】
0005592491.tif 000009
【００７５】
及びそれらの混合物が挙げられる。
【００７６】
Ｈ．水性キャリア
本発明のフレッシュニング組成物は水性キャリアを含んでもよい。用いる水性キャリアは、蒸留したもの、脱イオン化したもの、又は水道水であってもよい。水は、本発明の組成物が水溶液になる量で存在してもよい。いくつかの実施形態では、水は、前記フレッシュニング組成物の約８５重量％〜９９．５重量％、あるいは約９０重量％〜約９９．５重量％、あるいは約９２重量％〜約９９．５重量％、あるいは約９５重量％の量で存在してもよい。低分子量一価アルコール、例えば、エタノール、メタノール、及びイソプロパノール、又はポリオール（エチレングリコール、及びプロピレングリコールなど）を少量含む水も有用であり得る。しかし、エタノール及び／又はイソプロパノールのような揮発性の低分子量一価アルコールは制限すべきである。これらの揮発性有機化合物は、引火性の問題と環境汚染の問題の双方の一因になるからである。少量の低分子量一価アルコールを香料として、及び一部の防腐剤の安定化剤として本発明の組成物に加えたために、少量の低分子量一価アルコールが本発明の組成物に存在する場合、一価アルコールのレベルは、フレッシュニング組成物の約６重量％未満、あるいは約３重量％未満、あるいは約１重量％未満であってもよい。
【００７７】
Ｉ．他の任意成分
アジュバントを既知の目的で、本発明のフレッシュニング組成物に任意で加えることができる。このようなアジュバントとしては、水溶性金属塩、帯電防止剤、害虫及び蛾忌避剤、着色剤、酸化防止剤、及びこれらの混合物が挙げられるが、これらに限定されない。
【００７８】
ＩＩ．製造方法
本発明のフレッシュニング組成物は、当該技術分野において既知のいずれかの好適な方法で作製することができる。全ての成分を単に混合することができる。特定の実施形態では、成分の濃縮混合物を作製し、フレッシュニング組成物を空気中又は無生物表面上に散布する前に、その濃縮混合物を水性キャリアに加えることによって希釈するのが望ましい場合がある。別の実施形態では、脱イオン水及びエタノール、並びに低分子量ポリオールを含む１つの容器中に、悪臭結合ポリマーを分散させてもよい。続いて、完全に分散され、視覚上溶解するまで、この容器に緩衝剤を加える。別の容器で、均質になるまで可溶化剤と香料を混合する。続いて、可溶化剤と香料の溶液を第１の混合容器に加え、均質になるまで混合する。
【００７９】
ＩＩＩ．使用方法
本発明のフレッシュニング組成物は、散布することによって、例えば、スプレーディスペンサーのような分配手段の中に本発明の水溶液を入れ、有効量を空気中、又は所望の表面若しくは物品上にスプレーすることによって、使うことができる。有効量とは、本明細書における定義では、ヒトの臭覚によって認識できないうえに、物品又は表面に液体が染みこんだり、又は液体の水溜りができたりして、乾いたときに、容易には認識可能な目に見える堆積物ができることのないレベルで、悪臭を中和するのに十分な量を意味する。散布は、スプレー器具、ローラー、パッド等を用いて行うことができる。
【００８０】
本発明は、家庭の表面上の悪臭を減少させる組成物を有効量散布する方法を包含する。家庭の表面は、カウンタートップ、キャビネット、壁、床、浴室の表面、及びキッチンの表面からなる群から選択される。
【００８１】
本発明は、布地及び／又は布地物品上の悪臭を減少させる組成物の霧状液を有効量散布する方法を包含する。布地及び／又は布地物品としては、布、カーテン、掛け布、布張りの家具、カーペット、ベッド用リネン、浴室用リネン、テーブルクロス、寝袋、テント、車内、例えば、車用カーペット、車の布地製シート等が挙げられるが、これらに限定されない。
【００８２】
本発明は、靴の上及び中の悪臭の印象を減少させる組成物の霧状液を有効量散布する方法であって、靴に、浸透するまでスプレーすべきでない方法を包含する。
【００８３】
本発明は、シャワーカーテン上の悪臭の印象を減少させる組成物の霧状液を有効量散布する方法を包含する。
【００８４】
本発明は、ゴミ箱及び／又はリサイクル用回収箱の上及び／又は中の悪臭の印象を減少させる組成物の霧状液を有効量散布する方法に関する。
【００８５】
本発明は、空気中の悪臭の印象を減少させる組成物の霧状液を有効量散布して、悪臭を中和する方法に関する。
【００８６】
本発明は、主な家電（冷蔵庫、冷凍庫、洗濯機、自動乾燥機、オーブン、電子レンジ、食器洗浄機等が挙げられるが、これらに限定されない）の中及び／又は上の悪臭の印象を減少させる組成物の霧状液を有効量散布して、悪臭を中和する方法に関する。
【００８７】
本発明は、猫用トイレ、ペットの寝具、及びペットハウスの上の悪臭の印象を減少させる組成物の霧状液を有効量散布して、悪臭を中和する方法に関する。
【００８８】
本発明は、家庭のペットの悪臭の印象を減少させる組成物の霧状液を有効量散布して、悪臭を中和する方法に関する。
【実施例】
【００８９】
悪臭の減少
表１は、本発明によるフレッシュニング組成物の非限定例を示している。
【００９０】
【表８】
0005592491.tif 000010
【００９１】
表１の調合物ＶＩ、ＶＩＩ、及びＶＩＩＩを調製し、悪臭への作用について、悪臭結合ポリマーを含まない組成物である対照調合物Ｖと比較する。図１は、本発明に従ってフレッシュニング組成物中に悪臭結合ポリマーを含めると、処理した布地から蒸発するアルデヒドの悪臭が減少することを示している。
【００９２】
布地サンプルに、対象の悪臭を注入する。グリースを注入する際には、８オンスのグリースをＰｒｅｓｔｏ（商標）の電気スキレットに入れ、スキレットの蓋をかぶせる。このスキレットを７６．２ｃｍ（３０ガロン）の金属製ゴミ箱に入れる。スキレットの電気コードをゴミ箱の３．８１ｃｍ（１．５インチ）の穴に通す。スキレットを１２１℃まで加温し、１５分間平衡状態に保つ。蓋を外す。ゴミ箱の蓋の中にある回転台の上の金属クリップで、２０．３ｃｍ×２０．３ｃｍ（８インチ×８インチ）の布地小片を吊るす。この小片の最下部から測定すると、スキレットの最上部までの距離は２０．３ｃｍ（８インチ）である。ゴミ箱に蓋を置き、回転台を手で１分当たり１５回、４０分間回転させる。注入後、試験対象の各フレッシュニング組成物を小片にスプレーする。各小片に対するスプレー作業は、トリガースプレーボトルのトリガーのフルストローク動作を２回行うことからなる。スプレーボトルは、布地から１５．２ｃｍ（６インチ）離れた位置に保ち、スプレー作業は、布地の中央に行う。処理直後に、各布地は半分に切断し、丸め、それぞれヘッドスペースが１２５ｍＬのバイアルの中に入れる。このバイアルを密封する。バイアルを少なくとも２時間、１００℃にて平衡状態に保ってから、ＰＤＭＳ  ＳＰＭＥファイバーを用いて各バイアルをサンプリングすることによって分析すると共に、ＧＣ／ＭＳによって分析する。続いて、全てのサンプルにおいて、事前に同定されている悪臭構成成分を追跡する。各ピークの累積面積カウントの総面積カウントのデータを集める。
【００９３】
微生物の減少
表２は、本発明によるフレッシュニング組成物の非限定例を示している。
【００９４】
【表９】
0005592491.tif 000011
【００９５】
微生物を減少させる作用について、悪臭結合ポリマーを含まない対照調合物である調合物ＩＸと調合物Ｘを比較する。図２は、非残留性の布地清浄剤の黄色ブドウ球菌（ＡＴＣＣ  ６５３８）、黒色アスペルギルス（ＡＴＣＣ  ６２７５）、ミラビリス変形菌（ＡＴＣＣ  ７００２）、及び緑膿菌（ＡＴＣＣ  １５４４２）に対する効能について試験した場合の、ＰＥＩを有する調合物と有さない調合物の結果を示している。
【００９６】
調合物の効能は、ＡＯＡＣ  Ｇｅｒｍｉｃｉｄａｌ  Ｓｐｒａｙ  Ｐｒｏｄｕｃｔｓ  Ｔｅｓｔの方法（９６１．０２）を量的に修正したものであるＮｏｒｔｈ  Ａｍｅｒｉｃａ  Ｂａｃｔｅｒｉｃｉｄａｌ  Ｆａｂｒｉｃ  Ｓｐｒａｙ  Ｔｅｓｔ  Ｍｅｔｈｏｄを用いて評価した。この方法は、Ｕ．Ｓ．ＥＰＡ  Ｐｅｓｔｉｃｉｄｅ  Ａｓｓｅｓｓｍｅｎｔ  Ｇｕｉｄｅｌｉｎｅｓ  Ｓｕｂｄｉｖｉｓｉｏｎ  Ｇ，Ｓｅｒｉｅｓ  ９１−５２（ｂ）（１）に準拠した公認の試験基準である。参照したＡＯＡＣの方法を布地表面に適用した。各調合物を含むトリガースプレーボトルのトリガーを２回完全に引くことによって、Ｔｅｓｔｆａｂｒｉｃｓ  Ｉｎｃ．から入手できるような布地小片（３．８１ｃｍ（１．５インチ）、青色のオクスフォードコットン１００％）を処理した。Ｓｕｂｄｉｖｉｓｉｏｎ  Ｇ，Ｓｅｒｉｅｓ  ９１−１（ｂ）（４）（ｉ）に規定されているように、スプレーした布地表面の推定保存時間として、周囲温度における１０〜３０分の接触時間を選択した。いずれかの過剰な液体を排出してから、２０ｍｌの中和剤及び／又は増殖促進ブロスを含む広口瓶に移す。この広口瓶をボルテックスにより混合し、続いてＢｒａｎｓｏｎ  Ｂｒａｎｓｏｎｉｃ  Ｕｌｔｒａｓｏｎｉｃ  Ｓｏｎｉｃａｔｏｒ内で５分間音波処理する。中和してから３０分以内に、広口瓶をボルテックス型ミキサーで２〜３秒混ぜてから、段階希釈する。全てのサンプルを適切な条件下でインキュベートし（４８±４時間）、増殖の有無をモニタリングした。サンプルを平板培養して計数し、平均ｌｏｇ１０減少値を割り出す。
【００９７】
本明細書に記述される全ての百分率は、特に指定のない限り、重量による。本明細書を通して記載されているあらゆる最大数値限定は、それより小さいあらゆる数値限定を、こうしたそれより小さい数値限定があたかも本明細書に明確に記載されているかのように包含することを理解すべきである。本明細書全体を通じて記載される最小数値限定は、それより大きいあらゆる数値限定を、そのような大きい数値限定が本明細書に明確に記載されているかのように包含する。本明細書全体を通じて記載される数値範囲は、そのようなより広い数値範囲内に入るそれよりも狭いあらゆる数値範囲を、そのようなより狭い数値範囲が全て本明細書に明確に記載されているかのように包含する。
【００９８】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００９９】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【０１００】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の「特許請求の範囲」で扱うものとする。
【図１】
0005592491.tif 000012
【図２】
0005592491.tif 000013